(57)【特許請求の範囲】
【請求項１】
上部デッキボードと下部デッキボードに、それぞれ、等間隔な複数列に、複数のグロメットが配設されているグロメット列が形成されているとともに、上部デッキボードの相対する一方の側面側に位置するグロメット列と前記一方の側面との距離が、相対するもう一方の側面側に位置するグロメット列と前記もう一方の側面との距離より狭く形成されており、また、下部デッキボードの前記相対するもう一方の側面側に位置するグロメット列と前記もう一方の側面との距離が、前記相対する一方の側面側に位置するグロメット列と前記一方の側面との距離より狭く形成されており、且つ、上部デッキボードの相対する一方の側面側に位置するグロメット列と前記一方の側面との距離及び下部デッキボードの前記相対するもう一方の側面側に位置するグロメット列と前記もう一方の側面との距離と、上部デッキボードの相対するもう一方の側面側に位置するグロメット列と前記もう一方の側面との距離及び下部デッキボードの前記相対する一方の側面側に位置するグロメット列と前記一方の側面との距離とが、前記グロメットの直径以上の差を有するように構成することにより、合成樹脂製パレットを段積みした際に、上方の合成樹脂製パレットの下部デッキボードに配設されたグロメットと、下方の合成樹脂製パレットの上部デッキボードに配設されたグロメットとが接触しないように構成されていることを特徴とする合成樹脂製パレット。
【請求項２】
合成樹脂製パレットの左右方向或いは上下方向を識別可能な識別マークを配設したことを特徴とする請求項１に記載の合成樹脂製パレット。
【発明の詳細な説明】
【０００１】
【発明の属する技術分野】
本発明は、物品の運搬、収納、保管等に使用される合成樹脂製パレットに関するものである。
【０００２】
【従来の技術】
従来、図７及び図８に示されているように、上部デッキボード１及び下部デッキボード２のそれぞれの表面に、ゴム製或いは軟質合成樹脂製の滑り止め用のグロメットｇを配設した合成樹脂製パレットＰが知られており、上部デッキボード１及び下部デッキボード２に配設されたグロメットｇは、図８に示されているように、合成樹脂製パレットＰの水平中心面ｐを挟んで対称に配置されている。なお、３は、合成樹脂製パレットＰの側面に形成されたフォーク差し込み口である。
【０００３】
【発明が解決しようとする課題】
上述した従来の合成樹脂製パレットＰにおいては、上部デッキボード１及び下部デッキボード２に配設されたグロメットｇが、合成樹脂製パレットＰの水平中心面ｐを挟んで対称に配置されているので、このような合成樹脂製パレットＰを、図９に示されているように、上下方向に多段に積み重ねた際には、即ち、段積みした際には、上方の合成樹脂製パレットＰの下部デッキボード２に配設されたグロメットｇの下面と、下方の合成樹脂製パレットＰの上部デッキボード１に配設されたグロメットｇの上面とが接触することになる。
【０００４】
このように、合成樹脂製パレットＰを段積みした際に、上方の合成樹脂製パレットＰの下部デッキボード２に配設されたグロメットｇの下面と、下方の合成樹脂製パレットＰの上部デッキボード１に配設されたグロメットｇの上面とが接触すると、上方の合成樹脂製パレットＰの下部デッキボード２に配設されたグロメットｇと、下方の合成樹脂製パレットＰの上部デッキボード１に配設されたグロメットｇとがくっついて、上方の合成樹脂製パレットＰを、フォークリフトで持ち上げた際に、下方の合成樹脂製パレットＰが持ち上がったり、或いは、下方の合成樹脂製パレットＰの上部デッキボード１に配設されたグロメットｇや上方の合成樹脂製パレットＰの下部デッキボード２に配設されたグロメットｇが、上部デッキボード１や下部デッキボード２から引き抜かれる等の問題があった。
【０００５】
最近、合成樹脂製パレットＰを、リサイクル利用するために粉砕する際には、異物となるゴム製のグロメットｇを合成樹脂製パレットＰから取り外さなければならなず、このようなゴム製のグロメットｇの取り外し作業を省略するために、軟質合成樹脂で成形されたグロメットｇが用いられているが、このような軟質合成樹脂製のグロメットｇは、上述した合成樹脂製パレットＰを段積みした際のグロメットｇのくっつきが、特に、顕著となる。
【０００６】
本発明の目的は、上述した従来の合成樹脂製パレットが有する課題を解決するとともに、作業性、取扱性の向上した合成樹脂製パレットを提供することにある。
【０００７】
【課題を解決するための手段】
本発明は、上述した目的を達成するために、上部デッキボードと下部デッキボードに、それぞれ、等間隔な複数列に、複数のグロメットが配設されているグロメット列が形成されているとともに、上部デッキボードの相対する一方の側面側に位置するグロメット列と前記一方の側面との距離が、相対するもう一方の側面側に位置するグロメット列と前記もう一方の側面との距離より狭く形成されており、また、下部デッキボードの前記相対するもう一方の側面側に位置するグロメット列と前記もう一方の側面との距離が、前記相対する一方の側面側に位置するグロメット列と前記一方の側面との距離より狭く形成されており、且つ、上部デッキボードの相対する一方の側面側に位置するグロメット列と前記一方の側面との距離及び下部デッキボードの前記相対するもう一方の側面側に位置するグロメット列と前記もう一方の側面との距離と、上部デッキボードの相対するもう一方の側面側に位置するグロメット列と前記もう一方の側面との距離及び下部デッキボードの前記相対する一方の側面側に位置するグロメット列と前記一方の側面との距離とが、前記グロメットの直径以上の差を有するように構成することにより、合成樹脂製パレットを段積みした際に、上方の合成樹脂製パレットの下部デッキボードに配設されたグロメットと、下方の合成樹脂製パレットの上部デッキボードに配設されたグロメットとが接触しないように構成したものであり、また、合成樹脂製パレットの左右方向或いは上下方向を識別可能な識別マークを配設したものである。
【０００８】
【実施例】
先ず最初に、本発明の合成樹脂製パレットの表裏面図である図１、本発明の合成樹脂製パレットの正面図である図２及び本発明の合成樹脂製パレットを段積みした際の正面図である図３を用いて、本発明の１実施例について説明する。
【０００９】
本発明の合成樹脂製パレットＰの上部デッキボード１０には、グロメットｇ１が配設されており、また、下部デッキボード２０にも、グロメットｇ２が配設されている。本発明においては、上部デッキボード１０に配設されたグロメットｇ１と、下部デッキボード２０に配設されたグロメットｇ２とが、図１（ａ）及び（ｂ）に示されているように、合成樹脂製パレットＰの水平中心面ｐを挟んで非対称に配置されている。なお、３０は、合成樹脂製パレットＰの側面に形成されたフォーク差し込み口である。
【００１０】
図１（ａ）及び（ｂ）に示されているように、上部デッキボード１０及び下部デッキボード２０には、それぞれ、等間隔で４列ｇ（１）〜ｇ（４）、ｇ（１’）〜ｇ（４）’にグロメットｇ１、ｇ２が配置されており、各列には、等間隔で３個のグロメットｇ１、ｇ２が配置されている。そして、上部デッキボード１０に配置された４列ｇ（１）〜ｇ（４）のグロメットｇ１は、全体が、図１（ａ）において、左方向に偏向して配置されている。即ち、左端のグロメット列ｇ（１）と上部デッキボード１０の左側面との距離ｄ１は、右端のグロメット列ｇ（４）と上部デッキボード１０の右側面との距離ｄ２より狭く形成されている。一方、下部デッキボード２０に配置された４列ｇ（１’）〜ｇ（４’）のグロメットｇ２は、全体が、図１（ｂ）において、右方向に偏向して配置されている。即ち、右端のグロメット列ｇ（４’）と下部デッキボード２０の右側面との距離ｄ２’は、左端のグロメット列ｇ（１’）と下部デッキボード２０の左側面との距離ｄ１’より狭く形成されている。
【００１１】
上述したように、上部デッキボード１０に配設されたグロメットｇ１と、下部デッキボード２０に配設されたグロメットｇ２とが、合成樹脂製パレットＰの水平中心面ｐを挟んで非対称に配置されている上部デッキボード１０及び下部デッキボード２０を、図３に示されているように、段積みしても、上方の合成樹脂製パレットＰの下部デッキボード２０に配設されたグロメットｇ２と、下方の合成樹脂製パレットＰの上部デッキボード１０に配設されたグロメットｇ１とが、接触することがないので、上方の合成樹脂製パレットＰの下部デッキボード２０に配設されたグロメットｇ２と、下方の合成樹脂製パレットＰの上部デッキボード１０に配設されたグロメットｇ１とが、くっつくことがない。従って、上方の合成樹脂製パレットＰを、フォークリフトで持ち上げても、下方の合成樹脂製パレットＰが持ち上げられることもなく、また、下方の合成樹脂製パレットＰの上部デッキボード１０に配設されたグロメットｇ１や上方の合成樹脂製パレットＰの下部デッキボード２０に配設されたグロメットｇ２が、上部デッキボード１０や下部デッキボード２０から引き抜かれるようなこともない。
【００１２】
なお、上述した実施例においては、上部デッキボード１０に配設された左端のグロメット列ｇ（１）と上部デッキボード１０の左側面との距離ｄ１と、下部デッキボード２０に配設された右端のグロメット列ｇ（４’）と下部デッキボード２０の右側面との距離ｄ２’とが等しく、また、上部デッキボード１０に配設された右端のグロメット列ｇ（４）と上部デッキボード１０の右側面との距離ｄ２と、下部デッキボード２０に配設された左端のグロメット列ｇ（１’）と下部デッキボード２０の左側面との距離ｄ１’とが、それぞれ、等しい場合には、図３において、上方の合成樹脂製パレットＰを、水平面に沿って１８０°旋回させて段積みすると、上方の合成樹脂製パレットＰの下部デッキボード２０に配設されたグロメットｇ２と下方の合成樹脂製パレットＰの上部デッキボード１０に配設されたグロメットｇ１とが、接触することになるので、上記の距離ｄ１と距離ｄ２’及び距離ｄ１’と距離ｄ２とを、少なくとも、グロメットｇ１、ｇ２の直径以上異ならせる。
【００１３】
また、上述した距離ｄ１と距離ｄ２’及び距離ｄ１’と距離ｄ２とが、それぞれ、等しい場合には、合成樹脂製パレットＰの右半分と左半分を、異色で形成するとか、或いは、合成樹脂製パレットＰの側面や表面に矢印等の識別マークを配設することにより、上方の合成樹脂製パレットＰの下部デッキボード２０に配設されたグロメットｇ２と下方の合成樹脂製パレットＰの上部デッキボード１０に配設されたグロメットｇ１とが接触しないように段積みするように、作業者に注意を喚起するように構成することもできる。
【００１４】
次に、本発明の合成樹脂製パレットの表裏面図である図４、本発明の合成樹脂製パレットの正面図である図５及び本発明の合成樹脂製パレットを段積みした際の正面図である図６を用いて、本発明の他の実施例について説明する。
【００１５】
この実施例においては、上部デッキボード１０に配設された４列ｇ（１）〜ｇ（４）のグロメット列のうち、グロメット列に沿った中心線ｃから当距離に配置された中央の２列のグロメット列ｇ（２）、ｇ（３）を、中心線ｃから遠ざけて配置し、また、上部デッキボード１０の側面側の２列のグロメット列ｇ（１）、ｇ（４）を、側面側に近づけて配置してある。一方、下部デッキボード２０に配置された４列ｇ（１’）〜ｇ（４’）のグロメット列のうち、グロメット列に沿った中心線ｃから当距離に配置された中央の２列のグロメット列ｇ（２’）、ｇ（３’）を、上部デッキボード１０に配設された中央の２列のグロメット列ｇ（２）、ｇ（３）より、より中心線ｃに近づけて配置するとともに、下部デッキボード２０の側面側の２列のグロメット列ｇ（１’）、ｇ（４’）を、上部デッキボード１０の側面側の２列のグロメット列ｇ（１）、ｇ（４）より、より下部デッキボード２０の側面から遠ざけて配置することにより、上部デッキボード１０に配設されたグロメットｇ１と、下部デッキボード２０に配設されたグロメットｇ２とを、合成樹脂製パレットＰの水平中心面ｐを挟んで非対称に配置したものである。
【００１６】
なお、上述した実施例においては、図５において、上方の合成樹脂製パレットＰを、合成樹脂製パレットＰの側面に平行な中心線を中心に１８０°回転させると、上方の合成樹脂製パレットＰの上部デッキボード１０に配設されたグロメットｇ１と下方の合成樹脂製パレットＰの上部デッキボード１０に配設されたグロメットｇ１とが、接触することになるので、合成樹脂製パレットＰの上半分と下半分を、異色で形成するとか、或いは、合成樹脂製パレットＰの側面等に合成樹脂製パレットＰの上下方向を指示する識別マークを配設することにより、段積みされた合成樹脂製パレットＰの上下部デッキボード１０、２０に配設されたグロメットｇ１、ｇ２が、互いに、接触しないように段積みするように、作業者に注意を喚起するように構成することもできる。
【００１７】
本発明は、上述したように、上部デッキボード１０に配設されたグロメットｇ１と、下部デッキボード２０に配設されたグロメットｇ２とを、合成樹脂製パレットＰの水平中心面ｐを挟んで非対称に配置したことにより、合成樹脂製パレットＰを段積みした際に、上方の合成樹脂製パレットＰの下部デッキボード２０に配設されたグロメットｇ２の下面と、下方の合成樹脂製パレットＰの上部デッキボード１０に配設されたグロメットｇ１の上面とが接触しないように構成したものである。このように構成することにより、上方の合成樹脂製パレットＰを、フォークリフトで持ち上げた際に、下方の合成樹脂製パレットＰが持ち上がったり、或いは、下方の合成樹脂製パレットＰの上部デッキボード１０に配設されたグロメットｇ１や上方の合成樹脂製パレットＰの下部デッキボード２０に配設されたグロメットｇ２が、上部デッキボード１０や下部デッキボード２０から引き抜かれる等の問題が解消できる。
【００１８】
合成樹脂製パレットＰを段積みした際に、上方の合成樹脂製パレットＰの下部デッキボード２０に配設されたグロメットｇ２の下面と、下方の合成樹脂製パレットＰの上部デッキボード１０に配設されたグロメットｇ１の上面とが接触しないものであれば、上述したグロメットｇ１、ｇ２の配置に、何ら、限定されることはない。また、段積みされた上方の合成樹脂製パレットＰを、水平面に沿って１８０°旋回させても、或いは、合成樹脂製パレットＰの側面に平行な中心線を中心に１８０°回転させても、上下方向に位置する合成樹脂製パレットＰに配設されたグロメットｇ１、ｇ２が、互いに、接触しないように、上部デッキボード１０及び下部デッキボード２０に、ランダムに、グロメットｇ１、ｇ２を配設することもできる。
【００１９】
【発明の効果】
本発明は、以上説明したように構成されているので、以下に記載する効果を奏することができる。
【００２０】
合成樹脂製パレットを段積みしても、上方の合成樹脂製パレットの下部デッキボードに配設されたグロメットと、下方の合成樹脂製パレットの上部デッキボードに配設されたグロメットとが、接触することがないので、上方の合成樹脂製パレットの下部デッキボードに配設されたグロメットと、下方の合成樹脂製パレットの上部デッキボードに配設されたグロメットとが、くっつくことがない。従って、上方の合成樹脂製パレットを、フォークリフトで持ち上げても、下方の合成樹脂製パレットが持ち上げられることもなく、また、下方の合成樹脂製パレットの上部デッキボードに配設されたグロメットや上方の合成樹脂製パレットの下部デッキボードに配設されたグロメットが、上部デッキボードや下部デッキボードから引き抜かれるようなこともない。
【図面の簡単な説明】
【図１】図１は本発明の合成樹脂製パレットの表裏面図である。
【図２】図２は本発明の合成樹脂製パレットの正面図である。
【図３】図３は本発明の合成樹脂製パレットを段積みした際の正面図である。
【図４】図４は本発明の他の実施例の合成樹脂製パレットの表裏面図である。
【図５】図５は本発明の他の実施例の合成樹脂製パレットの正面図である。
【図６】図６は本発明の他の実施例の合成樹脂製パレットを段積みした際の正面図である。
【図７】図７は従来の合成樹脂製パレットの斜視図である。
【図８】図８は従来の合成樹脂製パレットの正面図である。
【図９】図９は従来の合成樹脂製パレットを段積みした際の正面図である。
【符号の説明】
１０・・・・・・・上部デッキボード
２０・・・・・・・上部デッキボード
ｇ１、ｇ２・・・・グロメット
【図１】
0003965221.tif 000002
【図２】
0003965221.tif 000003
【図３】
0003965221.tif 000004
【図４】
0003965221.tif 000005
【図５】
0003965221.tif 000006
【図６】
0003965221.tif 000007
【図７】
0003965221.tif 000008
【図８】
0003965221.tif 000009
【図９】
0003965221.tif 000010